(57)【特許請求の範囲】
【請求項１】
吸引排出口に取り付けて使用する液体定量供給用具であって、下端部から吸引した液体の一定量を保持する定量管と、これを支持しかつ前記定量管の上端部から排出される吸引した液体の前記一定量を超える量を保持する底を有する支持部材とを備え、前記定量管の上端部が前記支持部材の底を貫通して前記支持部材内部に達しており、前記定量管に保持された液体のみを外部に排出する液体定量供給用具。
【請求項２】
下端部から吸引した液体の一定量を保持する定量管と、これを支持しかつ前記定量管の上端部から排出される吸引した液体の前記一定量を超える量を保持する底を有する支持部材とを備え、前記定量管の上端部が前記支持部材の底を貫通して前記支持部材内部に達しており、前記定量管に保持された液体のみを外部に排出する液体定量供給用具であって、前記液体の吸引および保持は負圧によってなされ、前記液体の排出は陽圧により成される液体定量供給用具。
【請求項３】
支持部材が筒状である、請求項１または２に記載の液体定量供給用具。
【請求項４】
定量管の支持部材内部に達している一端の外周面が、テーパー状になっている請求項３記載の液体定量供給用具。
【請求項５】
定量管の支持部材内部に達している一端の先端部形状が斜に切断された形状である請求項３記載の液体定量供給用具。
【請求項６】
定量管の支持部材内部に在る外周面に液体を案内する溝が形成されている請求項３記載の液体定量供給用具。
【請求項７】
定量管の支持部材内部に達している一端の先端部付近に、液吸収部材が配置されている請求項３記載の液体定量供給用具。
【請求項８】
定量間の支持部材内部に達している一端の先端部から前記支持部材の底部へ液を案内するための案内部材を有する請求項３記載の液体定量供給用具。
【請求項９】
支持部材の内周面および定量管の支持部材内部に在る部分の外周面の少なくとも一方が、親水性である請求項３記載の液体定量供給用具。
【発明の詳細な説明】
【０００１】
【発明の属する技術分野】
本発明は、液体定量供給用具に関し、これは、例えば、微量液体サンプル等を吸引排出するポンプの吸引排出口に取り付けて使用される。
【０００２】
化学、生化学、医療等の分野に使用される測定機器や分析機器には、液体試料や液体試薬等を吸引し、これを試験官やウェル等に供給するためのポンプが使用されることが多い。このようなポンプでは、試料や測定の種類等に応じ、吸引供給量を変更する場合が多くある。この場合、プランジャーの径やその移動距離を適宜調整することにより対応されていた。
【０００３】
しかし、プランジャーの径やその移動距離の調整は煩雑な作業であり、特に吸引排出量が微量である場合は、その正確な調整は困難を極める。
【０００４】
【発明が解決しようとする課題】
そこで、本発明の目的は、液体の定量供給を簡単かつ正確に行える液体定量供給用具の提供である。
【０００５】
【課題を解決するための手段】
前記目的を達成するために、本発明の液体定量供給用具は、吸引した液体の一定量を保持する定量管と、これを支持しかつ吸引した液体の前記一定量を超える量を保持する支持部材とを備え、前記定量管に保持された液体のみを外部に排出するという構成を有する。
【０００６】
この用具を、例えば、ポンプの吸引排出口に取り付け、負圧により目的量以上に吸引すれば、過剰量の液体は前記支持部材に保持され、前記定量管には目的量の液体のみが保持される。そして、前記用具に陽圧をかけると、前記定量管内の液体のみが排出される。したがって、この液体定量供給用具を用いれば、ポンプのプランジャー径やその移動距離の微細調整が不要となる。また、この液体定量供給用具は、一回の吸引排出の度に取り替えて使用することが好ましく、これによって試料による汚染または感染が防止できる。
【０００７】
なお、本発明の液体定量供給用具は、ポンプの他に、例えば、マイクロシリンジ等の先端に取り付けて使用できる。
【０００８】
本発明の液体定量供給用具が適用できる液体は、特に制限されず、血液等の粘性が高いものであってもよく、また吸引排出可能であれば、ゾル状のものに対しても適用できる。
【０００９】
【発明の実施の形態】
つぎに、本発明の液体定量供給用具の実施形態について、図面に基づき説明する。
【００１０】
図１に示す液体定量供給用具では、支持部材１２が筒状であり、その一方に底を有しており、定量管１１の一端が前記支持部材１２の底を貫通して前記支持部材１２内部に達している。図１（Ａ）は、液体定量供給用具の軸方向断面図であり、図１（Ｂ）は、前記図１（Ａ）のＩ−Ｉ方向断面図である。前記定量管１１は、通常、ガラス管であり、その容積は、目的とする液体供給量により変更する。例えば、４μｌの液体を供給する場合、容積が４μｌになるように前記定量管の内径および長さを調整する。一方、前記支持部材は、通常、シリコン、ゴム、ポリプロピレン、ポリエチレンテレフタレート等のプラスチックで形成されており、その大きさは、定量管の大きさやポンプの吸引排出口の外径等により適宜決定される。
【００１１】
この液体定量供給用具をポンプに使用した例を、図２および図３に基づき説明する。図２（Ａ）に示すように、前記支持部材１２内にポンプの吸引排出口２を篏入させることにより、前記液体定量供給用具１を、ポンプ４に装着する。図２（Ｂ）は、前記液体定量供給用具１を装着したポンプ４の概略を示し、３は切り替えバルブを示し、６は吸引対象の液体であり、５はそれを入れた容器である。なお、図１、図２および図３において、同一部分には同一符号を付している。前記ポンプ４の吸引排出量は、供給目的量以上に設定する。そして、図３（Ａ）に示すように、ポンプ４を作動させ、負圧により液体６を吸引すると、定量管１１には目的とする量の液体６ａが保持され、過剰分の液体６ｂは支持部材１２の底に保持される。そして、バルブ３を切り替えポンプ４から陽圧を液体定量供給用具１に送り込むと、図３（Ｂ）に示すように、定量管１１に保持されていた目的量の液体６ａのみが排出される。このようにして、液体定量供給用具１を用い、液体の定量供給が簡単かつ正確に実施できる。なお、前述のように、本発明の液体定量供給用具は、一回の吸引排出の度に新たなものに取り替えることが好ましい。
【００１２】
つぎに、図４、図５、図６および図７に示す液体定量供給用具は、血液等の粘性が高い液体を定量供給する場合に、定量性を向上させる手段を講じたものである。これは、血液等の粘性の高い液体を吸引すると、定量管の上端部において、その表面張力により液球が形成され、目的量を超える液体が定量管に保持されるおそれがあるからである。なお、図４、図５、図６および図７において、図１と同一部分には同一符号を付している。
【００１３】
図４に示す液体定量供給用具は、定量管１１の上端部の形状を、液球が形成されないようにした例である。
【００１４】
まず、図４（Ａ）の断面図に示す液体定量供給用具は、定量管１１の支持部材１２内部に達している一端部（上端部）１１ａの外周面が、テーパー状になったものである。また、図４（Ｂ）の断面図に示す液体定量供給用具は、定量管１１の支持部材１２内部に達している一端部（上端部）１１ａの形状を、斜に切断された形状としたものである。
【００１５】
つぎに、図５に示す液体定量供給用具は、支持部材１２の内周面および定量管１１の前記支持部材１２内部に在る部分の外周面の少なくとも一方に、液体を案内する溝１１ｃ、１２ａが形成されたものである。
【００１６】
まず、図５（Ａ）の断面図に示す液体定量供給用具では、定量管１１の前記支持部材１２内部に在る部分の外周面に溝１１ｃが軸方向に形成されている。また、図５（Ｂ）の断面図に示す液体定量供給用具では、支持部材１２の内周面に溝１２ａが周方向に沿って形成されている。このような溝１１ｃ、１２ａが形成されると、定量管１１の上端部から溢れる液体が、毛細管現象により前記溝に案内されて支持部材１２の底等に移動するため、液球の形成が防止される。前記溝の大きさは、毛細管現象が生じるような大きさであれば特に制限されない。
【００１７】
つぎに、図６に示す液体定量供給用具では、定量管１１の支持部材１２内部に達している一端の先端部付近に、液吸収部材（１５、１６）を配置したものである。
【００１８】
まず、図６（Ａ）の断面図に示す液体定量供給用具では、定量管１１の上端部にロート状液吸収部材１５が配置されている。また、図６（Ｂ）の断面図に示す液体定量供給用具では、定量管１１の上端部の外周面に液吸収部材１６が巻き付けた状態で配置されている。これらの液吸収部材１５、１６は、定量管１１上端部から溢れた液体を吸い取り、これにより液球の形成が防止される。前記液吸収部材としては、ガラスフィルターや濾紙等が使用できる。
【００１９】
図７に示す液体定量供給用具は、定量管１１の支持部材１２内部に達している一端の先端部から前記支持部材１２の底部へ液を案内するための案内部材１３、１４が配置されたものである。
【００２０】
まず、図７（Ａ）の断面図に示す液体定量供給用具では、２本の線状案内部材１３が定量管１１の上端部から支持部材１２の底に向かって配置されている。また、図７（Ｂ）の断面図に示す液体定量供給用具では、２枚の羽状案内部材１４が、定量管１１の上端部外周面に軸方向に沿って配置されている。これらの案内部材１３、１４は、定量管１１上端部から溢れた液体を支持部材１２の底に案内し、これにより液球の形成が防止される。
【００２１】
この他に、支持部材の内周面および定量管の上端部外周面の少なくとも一方を親水性にしても、液球の形成が防止される。親水性処理としては、例えば、界面活性剤による処理がある。
【００２２】
【実施例】
つぎに、前記図１に示す形態の液体定量供給用具を用い、血液試料の定量供給を行った例を示す。
【００２３】
まず、自動ピペットの先端チップ（ブルーチップ、１０００μｌ用）の先端口に、ガラス管（長さ８．０ｍｍ、内径０．８ｍｍ、容積４．０μｌ）を差し込み、液体定量供給用具を作製した。そして、図２に示すように、ポンプ４（ＤＤＵ−５０００、ＮＩＣＨＩＲＹＯ社製）の吸引排出口２に前記液体定量供給用具１を装着した。前記ポンプの吸引排出量は６μｌに設定した。また、成人男子血液の全血を血液試料とした。そして、前記ポンプにより、前記血液試料を３回吸引排出し、それぞれの回の排出血液を、精製水１０ｍｌに注入して希釈し、この希釈液の４１５ｎｍの吸光度を分光光度計で測定した。この結果を下記の表１に示す。なお、同表において記載した排出量は、吸光度の平均値において４μｌ排出されたものと仮定し、これと実際測定された各吸光度とから算出した値である。
【００２４】
【表１】
0004352147.tif 000002
【００２５】
前記表１に示すように、この実施例の液体定量供給用具により、４μｌの微量血液試料をばらつき無く供給することができた。なお、前記各吸引排出において、過剰に吸引された血液は、支持部材（ブルーチップ）の底部に保持され、排出されることはなかった。
【００２６】
【発明の効果】
以上のように、本発明の液体定量供給用具を用いれば、液体の定量供給を正確かつ簡単に行える。したがって、本発明の液体定量供給用具を、例えば、医療分析等に使用すれば、複雑な分析操作の簡略化に貢献できる。
【図面の簡単な説明】
【図１】本発明の一実施例の液体定量供給用具の構成を表す断面図であり、（Ａ）は、軸方向断面図であり、（Ｂ）は、前記（Ａ）のＩ−Ｉ方向断面図である。
【図２】前記実施例の液体定量供給用具をポンプに装着した状態を示す図であり、（Ａ）は、ポンプ吸引排出口に前記液体定量供給用具を装着した状態を示す断面図であり、（Ｂ）は、前記液体定量供給用具を装着したポンプの構成を示す構成図である。
【図３】前記実施例の液体定量供給用具の液体吸引排出の状態を示す断面図であり、（Ａ）は吸引状態を示し、（Ｂ）は排出状態を示す。
【図４】（Ａ）および（Ｂ）は、本発明のその他の実施例の液体定量供給用具の構成を示す断面図である。
【図５】（Ａ）および（Ｂ）は、本発明のさらにその他の実施例の液体定量供給用具の構成を示す断面図である。
【図６】（Ａ）および（Ｂ）は、本発明のさらにその他の実施例の液体定量供給用具の構成を示す断面図である。
【図７】（Ａ）および（Ｂ）は、本発明のさらにその他の実施例の液体定量供給用具の構成を示す断面図である。
【符号の説明】
１    液体定量供給用具
１１  定量管
１２  支持部材
【図１】
0004352147.tif 000003
【図２】
0004352147.tif 000004
【図３】
0004352147.tif 000005
【図４】
0004352147.tif 000006
【図５】
0004352147.tif 000007
【図６】
0004352147.tif 000008
【図７】
0004352147.tif 000009